(57)【要約】      （修正有）【課題】顧客が現金を携帯すること、支払カードを操作すること、または支払ブースを利用するために並んで待つことなしに、サービスにアクセスすることのできるシステムを提供する。【解決手段】サービス・コントローラ・ブースがＲＦＩＤタグから識別番号を受け取っている場合、前記ブースから要求を受け取り、ユーザに関連付けられた口座が要求されたサービスにアクセスするのに十分な預金残高を有するかどうかを検証しするために、ＲＦＩＤタグから識別番号を受け取っている場合、要求を受け取るように適合され、ならびに、口座に十分な預金残高があるか否かに応じて、ユーザのサービスへのアクセスを許可するか否かの応答をサービス・コントローラ・ブースに返信するように適合された、サービス・プロバイダ・サーバ２０を有する。【選択図】図１
2005276184.tif 000002
【特許請求の範囲】
【請求項１】
ＲＦＩＤタグ（２８）に関連付けられた移動デバイス（１４）を有する、サービス・プロバイダによって提供されるサービスを取得するために使用される無線サービス購買システムにおいてであって、
無線タグと加入者識別モジュールを含む移動デバイスであって、ユーザが当該無線タグおよび当該加入者識別モジュールの両方において同じ識別番号によって識別される移動デバイスと、
前記移動デバイスのユーザが前記サービスを取得することの許可を得るために、前記無線ＲＦＩＤタグと通信する無線はＲＦＩＤリーダ（１８）とと通信するように適合され、その結果、前記移動デバイスのユーザ（１０）が前記サービスを取得することを許可されるものであり、
前記システムは、前記移動デバイスが前記ＲＦＩＤタグが組み込まれたＧＳＭ移動電話システムで使用されるＳＩＭカードなどの加入者識別モジュール（２４）を含み、前記ユーザは前記ＳＩＭカードおよび前記ＲＦＩＤタグの両方において同じ識別番号によって識別されるものであって、
さらに前記システムは、前記ユーザに関連付けられた口座が要求されたサービスにアクセスするのに十分な預金残高を有するかどうかを検証するために、前記無線ＲＦＩＤタグから取得した前記識別番号を前記無線リーダから受け取ることに応答しを受け取っている場合、前記リーダからの要求を受け取、前記ユーザに関連付けられた口座が要求されたサービスにアクセスするのに十分な預金残高を有するかどうかを検証しるように適合され、ならびに、前記口座に十分な預金残高があるか否かに応じて、前記ユーザのサービスへのアクセスを許可するか否かの応答を前記リーダに返信するように適合された、サービス・プロバイダ・サーバ（２０）
を有することを特徴とする、システム。
【請求項２】
前記ユーザ（１０）が、前記識別番号と前記ユーザに関連付けられた前記口座に入金される予定の金額とを示すメッセージＳＭＳを、前記サービス・プロバイダ・サーバ（２０）に送信する、請求項１に記載のシステム。
【請求項３】
前記ユーザが要求されたサービスにアクセスできるようにするために前記ユーザ（１０）に関連付けられた前記口座は、前記移動デバイス（１４）から無線電話オペレータ（１６）に関するサービスにアクセスするために前記ユーザが自由に使用できる口座である、請求項２に記載のシステム。
【請求項４】
前記ユーザ（１０）が、支払を確認するＰＩＮコードを入力装置からキーボードで直接入力することによって前記サービス・コントローラル・ブース（１８）で直接支払いを行い、前記ブースがトランザクションに関する情報を前記サービス・プロバイダ・サーバ（２０）に送信する、請求項３に記載のシステム。
【請求項５】
前記ユーザによってアクセスされたサービスの価格に関する情報を受け取った後、前記ユーザ（１０）に請求を伝送する課金システム（２２）をさらに有する、請求項１から４のいずれか一項に記載のシステム。
【請求項６】
サービス・プロバイダによって提供されるサービスを取得するために使用される移動デバイスであって、
移動デバイスのユーザを識別する識別番号を含む加入者識別モジュールと、
前記識別番号と同じ識別番号を含む無線タグであって、前記ユーザが前記サービスを取得することの許可を得るために、無線リーダと通信する無線タグとを有し、
前記識別番号に基づき、前記ユーザに関連付けられた口座が要求されたサービスにアクセスするのに十分な預金残高を有するかどうかが検証され、前記口座に十分な預金残高があるか否かに応じて、前記ユーザのサービスへのアクセスを許可するか否かが決定されることを特徴とする移動デバイス。
【発明の詳細な説明】
【技術分野】
【０００１】
本発明は、特定のサービスを取得するために、顧客が一定の金額を支払って被コントロール・ゾーンにアクセスしなければならないサービス購買システムに関し、具体的に言えば、無線サービス購買システムに関する。
【背景技術】
【０００２】
顧客に提供される多くのサービスに対しては、マシンのスロットにコインを挿入することによって支払いを行い、通常、このマシンは顧客にチケットを発行送達する。別の方法として、場合によっては、コインの代わりに非接触カードなどの支払カードを使用することができる。サービスを取得するために被コントロール・ゾーンにアクセスする必要があるこの方式は、公共交通機関、博物館への入場、駐車場への入庫、公衆トイレの使用などに適用することができる。
【０００３】
前述のシステムは、顧客が常時コインを携帯するかまたは支払カードを操作する必要がある限り、煩雑なものである。さらに重要なことに、これらのシステムでは、何人かの顧客またはユーザがサービスへのアクセスを希望する場合、顧客は支払ブースを利用するまで並んで待たなければならない。
【０００４】
場合によっては、上記の欠点は、無線周波識別（ＲＦＩＤ）デバイスとして知られる無線システムを使用することによって部分的に解決されている。例えばしたがって、文献ＷＯ  ０２０９７５６８号には、小売業者のコミュニティに入ることを希望する加入者が所有するＲＦＩＤ応答器から識別番号を読み取るために、いくつかのリーダが使用されるシステムが記載されている。しかし、こうしたシステムは、特定の機能を専用エリア内に限って実施する必要があり、誰でも使用できるものではない、閉鎖的な組織である。
【０００５】
日本特許出願２００２−０３６９９７号では、情報提供システムは人物に個別化された情報を提供することができる。移動電話加入者は、会員になるために、電子メール・アドレスまたは移動電話番号を情報プロバイダに伝える。情報プロバイダは、この電子メール・アドレスまたは移動電話番号をデータベースに格納し、識別情報を記録するためのＲＦＩＤを移動電話加入者に配布して、加入者はこのＲＦＩＤを移動電話に取り付ける。移動電話加入者は情報を獲得すると、移動電話をＲＦＩＤリーダに近づけ、ＲＦＩＤリーダがＲＦＩＤ情報を読み取って情報プロバイダに伝送できるようにする。残念ながら、ＲＦＩＤデバイスは移動電話のみに取り付けられる。したがって、移動電話の所有者にはリンクされておらず、変更が可能である。
【特許文献１】ＷＯ  ０２０９７５６８号
【特許文献２】日本特許出願２００２−０３６９９７号
【発明の開示】
【発明が解決しようとする課題】
【０００６】
したがって、本発明の目的は、任意の顧客がコインまたは現金を携帯すること、支払カードを操作すること、または支払ブースを利用するために並んで待つことなしに、サービスにアクセスすることのできるシステムを提供することである。
【０００７】
本発明の他の目的は、顧客の移動電話にリンクされたＲＦＩＤデバイスが、支払ブースを利用するために並んで待つ必要なしに被コントロール・アクセス・エリアにアクセスできるようにするものである、ユニバーサル・システムを提供することである。
【課題を解決するための手段】
【０００８】
したがって、本発明は、ＲＦＩＤタグに関連付けられた移動デバイスを含む、サービス・プロバイダによって提供されたサービスを取得するために使用される無線サービス購買システムに関するものであり、ＲＦＩＤタグに関連付けられた移動デバイスを含み、移動デバイスのユーザがサービスを取得することの許可を得るために、当該ＲＦＩＤタグはＲＦＩＤリーダと通信するように適合される、その結果、移動デバイスのユーザはサービスを取得することが許可される。移動デバイスは、ＲＦＩＤタグが組み込まれた加入者識別モジュール（ＳＩＭ）カード（ＧＳＭ移動電話システムで使用される）を含み、ユーザはＳＩＭカードおよびＲＦＩＤタグの両方において同じ識別番号で識別される。システムは、ユーザに関連付けられた口座が要求されたサービスにアクセスするのに十分な預金残高を有するかどうかを検証するために、リーダがＲＦＩＤタグから識別番号を受け取っている場合、リーダからの要求を受信し、ユーザに関連付けられた口座が要求されたサービスにアクセスするのに十分な預金残高を有するかどうかを検証しするように適合され、さらに、口座に十分な預金残高があるか否かに応じて、ユーザのサービスへのアクセスを許可するか否かの応答をリーダに返信するように適合された、サービス・プロバイダ・サーバを有する。
【０００９】
本発明の上記および他の目的、特徴、ならびに利点は、添付の図面に関して下記の本発明のより具体的な説明を読めば、より良く理解されるであろう。
【発明を実施するための最良の形態】
【００１０】
図１に示されたブロック図を参照すると、ユーザまたは顧客１０は、サービスを取得するために被コントロール・アクセス・ゾーン１２へのアクセスを望んでいる。こうしたゾーンは、交通機関ゾーン、駐車場、博物館、公衆トイレなどとすることができる。
【００１１】
ユーザまたは顧客１０は、セルラー・ネットワーク（図示せず）を介して無線電話オペレータ１６に接続された移動電話セット１４を所有する。現在使用されているセルラー・ネットワークはＧＳＭネットワークであるが、ＧＰＲＳネットワークまたは将来のＵＭＴＳネットワークなどの、任意の等価のネットワークも可能であることに留意されたい。
【００１２】
本発明によれば、移動電話１４は、ユーザがＲＦＩＤリーダを含むサービス・コントローラ・ブースの近くにいる場合、被コントロール・アクセス・ゾーン１２の入口に配置されたそのサービス・コントローラ・ブースにＲＦＩＤ情報を伝送するように適合される。
【００１３】
被コントロール・アクセス・ゾーン１２内で取得できるサービスは、サービス・コントローラ・ブースが移動電話１４から情報を受信したときに、このブースからの要求がの送信される先であるサービス・プロバイダ・サーバ２０で表されるサービス・プロバイダによって提供される。サービス・プロバイダ・サーバ２０はユーザの口座へのアクセス権を有し、ユーザまたは顧客１０の預金残高が、ユーザまたは顧客１０の被コントロール・アクセス・ゾーンへの入場を許可するのに十分であるかどうかを判別することができる。本発明の好ましい実施形態によれば、この口座には、無線電話オペレータ１６を介してユーザ１０によって入金される。使用される口座は、無線電話オペレータ１６のサービスにアクセスするためにユーザが自由に使える口座とすることができることに留意されたい。
【００１４】
ユーザの口座が、ユーザが被コントロール・ゾーンにアクセスすることを許可するのに十分である場合、当該許可はサービス・プロバイダ・サーバによってサービス・コントローラ・ブースに返信される。同時に、サーバ２０は確定される予定の請求に関する情報を課金システム２２に送信し、このシステムが、サービス価格に対応する請求をユーザまたは顧客１０に送信する。
【００１５】
さらに詳細には、ユーザ１０によって所有される移動電話１４が図２に示されている。これは、セキュリティおよびユーザの識別を含むユーザ／加入者特有の情報を集積回路２６内に維持する、移動電話の取外し可能コンポーネントである加入者識別モジュール（ＳＩＭ）２４を含む。具体的に言えば、これは、無線電話オペレータによって加入者に割り振られ、国際的に加入者を識別するために使用される、１５桁の固有の（世界的な）番号である国際移動体加入者識別番号（ＩＭＳＩ）を維持する。ＩＭＳＩは電話のユーザを加入者として識別し、加入者が外国を移動しているときに加入者の識別に使用されるものであるため、システムの基本的な機能である。
【００１６】
本発明によれば、ＲＦＩＤタグ２８はＳＩＭカードに組み込まれ、ＳＩＭカードがユーザ用に個別化されるときに、すなわちＩＭＳＩがＳＩＭカードに書き込まれるときに、オペレータによってＳＩＭと共に構成される。したがってＲＦＩＤタグ２８は、ＩＭＳＩ番号である固有の識別子を伝送するように構成される。これは、ユーザまたは顧客１０が被コントロール・アクセス・ゾーン１２へのアクセスを希望し、サービス・コントローラ・ブース１８の前を通過したときに、そのサービス・コントローラ・ブース１８に無線で伝送される番号である。ブース１８はＩＭＳＩ番号を受け取ると、この番号と消費されるたサービスの費用に関する情報とを、ＧＳＭ（またはＧＰＲＳ）接続または任意の他のネットワーク接続を介してサービス・プロバイダ・サーバ２０に送信する。次に、サービス・プロバイダ・サーバ２０は、ＩＭＳＩに対応する口座が十分な預金残高を有するかどうかを検証し、対応する（肯定または否定）応答をサービス・コントローラ・ブース１８に送信する。ブースはこの応答を受信すると、顧客が要求したサービスを取得するのを許可または拒否する。
【００１７】
顧客がサービスにアクセスするのを拒否された場合、顧客は、自分の口座に補充し、その後サービスを再試行および取得するために、無線電話オペレータ１６を介してＳＭＳなどのメッセージをサービス・プロバイダ・サーバ２０に送信することができる。代替の実施形態によれば、ユーザが自分のＩＭＳＩを介して識別されている場合、ユーザはサービス・コントローラ・ブース１８に直接支払うことが可能である。たとえば、ユーザはブースのキーボードを使用して、自分の支払を確認するＰＩＮコードを入力することができる。ブースはトランザクション情報をサービス・プロバイダ・サーバ２０に送信し、次にこれが、対応する金額をユーザの電話請求額に課金するために、このトランザクション情報を電話オペレータ１６に伝送する。
【００１８】
本発明の他の態様によれば、ユーザはいつでも（たとえば自分が何らかのサービスを購入するつもりである外国へ旅行する前日に）、移動電話１４を使用してサービス・プロバイダ・サーバ２０にメッセージＳＭＳを送信できることに留意されたい。このメッセージＳＭＳには、ユーザのＩＭＳＩと、ユーザが自分の口座に入金したい金額とが含まれることになる。
【００１９】
前述の本発明の主な利点は、以下のとおりである。
１．本システムは、支払を行うために支払ブースで長時間立ち止まることなしに、様々な公共サービスを消費できるようにするものである。
２．サービスの費用は顧客に電子的に課金され、顧客の無線電話サービス・プロバイダによる請求が可能である。
３．顧客は、無線電話を使用して自分の口座を補充することによって出費をコントロールし、サービスの費用に関する請求額がユーザが事前に入れた金額を超えないことが保証される。
４．本システムは、ＧＳＭネットワーク（またはＧＰＲＳ／ＵＭＴＳ）が稼動しているいずれの国でも動作する。実際のところ、システムのローミング機能を利用するものである。
５．顧客は無線電話オペレータによって自動的に識別され、サービス・プロバイダがその既存のすべてのインフラストラクチャ、特にサービスの請求を使用できるようにする。
６．ユーザは新しい移動電話にＳＩＭカードを挿入するだけで自分の電話セットを変更することができる。  
【図面の簡単な説明】
【００２０】
【図１】本発明に従った無線サービス購買システムを示すブロック図である。
【図２】ＲＦＩＤタグを組み込んだ移動電話セットのＳＩＭカードを示す概略図である。
【符号の説明】
【００２１】
１０    ユーザまたは顧客
１２    被コントロール・アクセス・ゾーン
１４    移動電話
１６    無線電話オペレータ
１８    サービス・コントローラ・ブース
２０    サービス・プロバイダ・サーバ
２２    課金システム
【図１】
2005276184.tif 000003
【図２】
2005276184.tif 000004